(57)【要約】【課題】車室内スペースが狭められる等の問題を生じることなく、ダッシュパネルの後方側に空調ユニットを適正に配設してその空調性能を充分に発揮させるとともに、車体の後方側に位置させて操縦安定性等を向上する。【解決手段】エンジンルーム１と車室２とを車両の前後方向に区画するダッシュパネル３には、パワートレインユニットの一部が配設されるように車体の後方側へ凹設された中央凹部５と、その左右両端部から車幅方向外方側に延びる左右一対のダッシュ側部２０，２１とが形成されるとともに、両ダッシュ側部２０，２１の何れか一方の後方側部位に配設されたエア分配ユニット２６を備えた空調ユニット２２が配設され、かつ上記エア分配ユニット２２に基端部が接続されて運転席用のエア吹出部２７にエアを案内する運転席側空調用ダクト３２と、助手席用のエア吹出部２８にエアを案内する助手席側空調用ダクト３３との管長が略等しく設定された。【選択図】図５
2009292280.tif 000002
【特許請求の範囲】
【請求項１】
エンジンルームと車室とがダッシュパネルにより車両の前後方向に区画されるとともに、車輪を駆動するパワートレインユニットを備えた車両において、上記ダッシュパネルには、上記パワートレインユニットの一部が配設されるように車体の後方側へ凹設された中央凹部と、その左右両端部から車幅方向外方側に延びる左右一対のダッシュ側部とが形成されるとともに、両ダッシュ側部の何れか一方の後方側部位に配設されたエア分配ユニットを備えた空調ユニットが配設され、かつ上記エア分配ユニットに基端部が接続されて運転席用のエア吹出部にエアを案内する運転席側空調用ダクトと、助手席用のエア吹出部にエアを案内する助手席側空調用ダクトとの管長が略等しく設定されたことを特徴とする車両空調ユニットの配設構造。
【請求項２】
上記空調ユニットは、ブロアユニットと熱交換ユニットとを有し、このブロアユニットおよび熱交換ユニットの車幅方向内方側に上記エア分配ユニットが配設されるとともに、このエア分配ユニットの車幅方向内方側壁面に上記運転席側空調用ダクトおよび助手席側空調用ダクトの基端部が接続されたことを特徴とする請求項１に記載の車両空調ユニットの配設構造。
【請求項３】
上記エア分配ユニットに接続された運転席側空調用ダクトの下方に、助手席側調用ユニットの基端部が接続されたことを特徴とする請求項１または２に記載の車両空調ユニットの配設構造。
【請求項４】
上記エア分配ユニットが上下方向に縦長状態で延びるように設置されるとともに、上記エア分配ユニットに接続された上記運転席側空調用ダクトの上方に、フロントウインドに向けて開口するディフロスタ用のエア吹出部にエアを案内するディフロスタ側空調用ダクトが接続されたことを特徴とする請求項３に記載の車両空調ユニットの配設構造。
【請求項５】
上記両ダッシュ側部の一方が他方よりも車体の前方側にオフセットして配設され、この車体の前方側にオフセットされたダッシュ側部の後方側部位に上記エア分配ユニットが配設されたことを特徴とする請求項１〜３のいずれか１項に記載の車両空調ユニットの配設構造。
【請求項６】
助手席の前方に位置するダッシュ側部が運転席の前方に位置するダッシュ側部よりも車両の前方側に位置するようにオフセットして配設されたことを特徴とする請求項４に記載の車両空調ユニットの配設構造。
【請求項７】
上記パワートレインは、エンジンルーム内に縦置き式に配設されるエンジン本体と、その後部に接続されたトランスミッションとを有し、当該エンジン本体の後部とトランスミッションとが上記中央凹部内に配設されたことを特徴とする請求項１〜６のいずれか１項に記載の車両空調ユニットの配設構造。
【発明の詳細な説明】
【技術分野】
【０００１】
本発明は、エンジンルームと車室とがダッシュパネルにより車両の前後方向に区画されるとともに、車輪を駆動するパワートレインユニットを備えた車両における車両空調ユニットの配設構造に関するものである。
【背景技術】
【０００２】
従来、下記特許文献１〜３に示されるように、車室と、その前方にダッシュパネルにより区画されたエンジンルームとが設けられ、上記エンジンルーム内にエンジン本体およびトランスミッション等からなるパワートレインユニットが配設された車両において、上記ダッシュパネルの車幅方向中央部に、その両側部よりも車両の後方側に向けて凹入する凹部を設け、この凹部内にエンジン本体の後部およびトランスミッション等を配設することにより、上記パワートレインユニットを車体の後方側に位置させることが行われている。
【特許文献１】特開２００３−３２６９８１号公報
【特許文献２】特開２００５−０２８９１１号公報
【特許文献３】特開２００５−０２９０５７号公報
【発明の開示】
【発明が解決しようとする課題】
【０００３】
上記特許文献１〜３に開示された発明では、ダッシュパネルの車幅方向中央部に形成された凹部内に上記パワートレインユニットを配設して、車両の重心を車体の中心部寄りに位置させることにより、車両の走行時に作用するヨー慣性モーメントを効果的に低減して操縦安定性を向上させることができるとともに、エンジンルーム内の有効スペースを効果的に拡大できるという利点がある。
【０００４】
しかし、上記のように車両の後方側に向けて凹入する凹部をダッシュパネルの車幅方向中央部に設けた場合には、このダッシュパネルに沿ってその車室内側に設置される空調ユニットの設置スペースを確保することが困難であり、上記凹部の車室内側（後方側）に空調ユニットが設置されることに起因して車室内スペースが狭められ、あるいは所望の空調性能を有する空調ユニットを設置することができない等の問題があった。
【０００５】
本発明は、上記の問題点に鑑みてなされたものであり、車室内スペースが狭められる等の問題を生じることなく、ダッシュパネルの後方側に空調ユニットを適正に配設してその空調性能を充分に発揮させるとともに、パワートレインユニットを車体の後方側に位置させて操縦安定性および走行安定性を向上させることができる車両空調ユニットの配設構造を提供することを目的としている。
【課題を解決するための手段】
【０００６】
請求項１に係る発明は、エンジンルームと車室とがダッシュパネルにより車両の前後方向に区画されるとともに、車輪を駆動するパワートレインユニットを備えた車両において、上記ダッシュパネルには、上記パワートレインユニットの一部が配設されるように車体の後方側へ凹設された中央凹部と、その左右両端部から車幅方向外方側に延びる左右一対のダッシュ側部とが形成されるとともに、両ダッシュ側部の何れか一方の後方側部位に配設されたエア分配ユニットを備えた空調ユニットが配設され、かつ上記エア分配ユニットに基端部が接続されて運転席用のエア吹出部にエアを案内する運転席側空調用ダクトと、助手席用のエア吹出部にエアを案内する助手席側空調用ダクトとの管長が略等しく設定されたものである。
【０００７】
請求項２に係る発明は、上記請求項１に記載の車両空調ユニットの配設構造において、上記空調ユニットが、ブロアユニットと熱交換ユニットとを有し、このブロアユニットおよび熱交換ユニットの車幅方向内方側に上記エア分配ユニットが配設されるとともに、このエア分配ユニットの車幅方向内方側壁面に上記運転席側空調用ダクトおよび助手席側空調用ダクトの基端部が接続されたものである。
【０００８】
請求項３に係る発明は、上記請求項１または２に記載の車両空調ユニットの配設構造において、上記エア分配ユニットに接続された運転席側空調用ダクトの下方に、助手席側調用ユニットの基端部が接続されたものである。
【０００９】
請求項４に係る発明は、請求項３に記載の車両空調ユニットの配設構造において、上記エア分配ユニットが上下方向に縦長状態で延びるように設置されるとともに、上記エア分配ユニットに接続された上記運転席側空調用ダクトの上方に、フロントウインドに向けて開口するディフロスタ用のエア吹出部にエアを案内するディフロスタ側空調用ダクトが接続されたものである。
【００１０】
請求項５に係る発明は、上記請求項１〜４のいずれか１項に記載の車両空調ユニットの配設構造において、上記両ダッシュ側部の一方が他方よりも車体の前方側にオフセットして配設され、この車体の前方側にオフセットされたダッシュ側部の後方側部位に空調ユニットが配設されたものである。
【００１１】
請求項６に係る発明は、上記請求項５に記載の車両空調ユニットの配設構造において、車室内の前部には運転席と助手席とが並設され、助手席の前方に位置するダッシュ側部が運転席の前方に位置するダッシュ側部よりも車両の前方側に位置するようにオフセットして配設されたものである。
【００１２】
請求項７に係る発明は、上記請求項１〜６のいずれか１項に記載の車両空調ユニットの配設構造において、上記パワートレインが、エンジンルーム内に縦置き式に配設されるエンジン本体と、その後部に接続されたトランスミッションとを有し、当該エンジン本体の後部とトランスミッションとが上記中央凹部内に配設されたものである。
【発明の効果】
【００１３】
請求項１に係る発明では、パワートレインユニットをダッシュパネルの中央凹部内に配設することにより、重量物である上記パワートレインユニットを可及的に車両の後方側に位置させることができるため、車両の重心を車体の中心部に近付けることにより、車両の走行時に作用するヨー慣性モーメントを効果的に低減して操縦安定性および走行安定性を向上させることができる。そして、上記中央凹部の左右両端部から車幅方向外方側に延びる両ダッシュ側部の何れか一方の後方側部位に、エア分配ユニットを備えた空調ユニットを配設し、かつこのエア分配ユニットに基端部が接続されて運転席用のエア吹出部にエアを案内する運転席側空調用ダクトと、助手席用のエア吹出部にエアを案内する助手席側空調用ダクトとの管長を略等しく設定したため、上記ダッシュパネルに沿って車幅方向に延びるように空調ユニットを設置した場合のように、上記中央凹部の後方側に配設されたエア分配ユニット等が車室内側に大きく突出するという事態が生じるのを防止することにより、車室内のスペースが狭められることを抑制しつつ、上記ダッシュ側部の後方空間部を有効に利用して空調ユニットを効率よく配設できるとともに、上記運転席側空調用ダクトおよび助手席側空調用ダクトを通過するエアの通気抵抗を均一化して運転席および助手席に対するエアの配風性能を効果的に向上できるという利点がある。
【００１４】
請求項２に係る発明では、上記ダッシュ側部の後方側部位に空調ユニットのブロアユニットと熱交換ユニットとを配設し、かつその車幅方向内方側に上記エア分配ユニットを配設するとともに、このエア分配ユニットの車幅方向内方側壁面に上記運転席側空調用ダクトおよび助手席側空調用ダクトの基端部を接続した構造としたため、これらの各ユニットをコンパクト化して限られたスペース内に配設できるとともに、上記熱交換ユニットにおいて熱交換されたエアを車幅方向の中央部側に案内した後、上記エア分配ユニットから上記運転席側空調用ダクトおよび助手席側空調用ダクトを介して車室内の全体に亘り効率よくエアを供給できるという利点がある。
【００１５】
請求項３に係る発明では、上記エア分配ユニットに接続された運転席側空調用ダクトの下方に、助手席側調用ユニットの基端部を接続したため、簡単な構成で上記運転席側空調用ダクトおよび助手席側空調用ダクトの管長を略等しく設定することにより、上記運転席および助手席に対するエアの配風性能を効果的に向上させることができる。
【００１６】
請求項４に係る発明では、上記エア分配ユニットを上下方向に縦長状態で延びるように設置するとともに、このエア分配ユニットに接続された上記運転席側空調用ダクトの上方に、フロントウインドに向けて開口するディフロスタ用のエア吹出部にエアを案内するディフロスタ側空調用ダクトを接続したため、上記ダッシュ側部の何れか一方の後方側部位において縦長状態で設置された上記エア分配ユニットに各空調用ダクトを適正状態でコンパクトに配列できるという利点がある。
【００１７】
請求項５に係る発明では、上記両ダッシュ側部の一方が他方よりも車体の前方側にオフセットして配設され、この車体の前方側にオフセットされることによりダッシュ側部の後方側部位に形成された広い空間部内に上記空調ユニットを配設したため、この後方空間部を有効に利用することにより、車室内のスペースが狭められることを、より効果的に抑制しつつ、上記空調用ユニットを、さらに効率よく配設できるという利点がある。
【００１８】
請求項６に係る発明では、車室内の前方部に運転席と助手席とが並設された車両において、助手席の前方に位置するダッシュ側部を運転席の前方に位置するダッシュ側部よりも車両の前方側にオフセットさせるとともに、上記助手席の前方に位置するダッシュ側部の後方側に空調ユニットを配設したため、運転席の前方に位置するダッシュ側部を車両の前方側にオフセットさせてその後方側に空調ユニットを配設した場合のように、運転席側に設置されるステアリングシャフト、ブレーキペダルやアクセルペダル等に干渉するという事態を生じることなく、上記空調ユニットを容易かつ適正にレイアウトできるという利点がある。
【００１９】
請求項７に係る発明では、エンジンルーム内において縦置き式に配設された重量物であるエンジン本体およびトランスミッションを有するパワートレインを可及的に車両の後方側に配設することができるため、車両の重心を車体の中心部側に位置させることにより、車両の走行時に作用するヨー慣性モーメントを効果的に低減して操縦安定性を向上させることができる。
【発明を実施するための最良の形態】
【００２０】
図１および図２は、本発明に係る車両空調ユニットの配設構造の第１実施形態を示している。上記車両には、エンジンルーム１と車室２とを区画するダッシュパネル３が設けられるとともに、このダッシュパネル３の下端部にフロアパネル４の前端部が接続されている。上記ダッシュパネル３の車幅方向中央部には、車体の後方側に向けて凹入する中央凹部５が形成されるとともに、上記フロアパネル４の車幅方向中央部には、上方に向けて膨出するトンネル部６が形成され、かつ上記車室２の前方部には、運転席７および助手席８が左右に併設されている。
【００２１】
上記エンジンルーム１内には、左右一対のフロントサイドフレーム９，９が車体の前後方向に延びるように配設されるとともに、その前端部に支持されたバンパレインフォースメント１０が車幅方向に延びるように設置されている。また、上記エンジンルーム１の後方部には、縦置き式に配設されたロータリエンジンからなるエンジン本体１２と、その後部に接続されたトランスミッション１３とを有するパワートレインユニット１１が配設されている。
【００２２】
上記エンジン本体１２の後部およびトランスミッション１３の前部が、ダッシュパネル３に形成された中央凹部５内に配設されるとともに、上記トランスミッション１３の後部と、これに接続されたプロペラシャフト１４とが上記トンネル部６内に配設されている。そして、上記パワートレインユニット１１の駆動力がプロペラシャフト１４を介して後部車輪１５，１５に伝達されることにより、この後部車輪１５，１５が駆動されるように構成されている。また、上記パワートレインユニット１１の前方部には、後述する空調ユニット２２の冷媒から熱を奪って冷媒を液化するコンデンサ１６と、このコンデンサ１６に冷却エアを送風する冷却ファン１７と、パワーステアリング用のパワーシリンダ１８とが配設されている。なお、図２において、符号１９は、図示を省略したサスペンションアーム等を支持する前部車輪用のサスペンションクロスメンバである。
【００２３】
上記ダッシュパネル３は、中央凹部５の左右両端部から車幅方向の外方側に延びる左右一対のダッシュ側部２０，２１を有し、両ダッシュ側部２０，２１の一方、つまり上記助手席８の前方に位置する右側のダッシュ側部２１が、上記運転席７の前方側に位置する他方（左側）のダッシュ側部２０よりも車両の前方側にオフセットして配設されている。この助手席８の前方側に位置する一方のダッシュ側部２１を車両の前方側にオフセットさせることにより、その後方側部位、つまり上記ダッシュ側部２１と、その車室内側（後方側）に位置するインストルメントパネルとの間に形成された空間部内には、空調ユニット２２が配設されている。
【００２４】
上記空調ユニット２２は、図３〜図７に示すように、エア導入部２３からエアを吸引して送風するブロアユニット２４と、このブロアユニット２４により送風されたエアとの間で熱交換を行ってエアの温度を調節する熱交換ユニット２５と、この熱交換ユニット２５の下流側に配設されたエア分配ユニット２６とを有している。
【００２５】
上記エア分配ユニット２６には、フロントウインド２９に向けて開口するディフロスタ用のエア吹出部３０と、運転席７に対向するように設置された左右一対の運転席用のエア吹出部２７，２７と、助手席８に対向するように設置された左右一対の助手席用のエア吹出部２８，２８とにそれぞれエアを案内する第１〜第３空調用ダクト３１〜３３の基端部が接続されている。なお、これらの空調用ダクト３１〜３３に加えて、図外の後部座席に着座した乗員に向けて空調用エアを供給する後席乗員用ダクトの基端部を上記エア分配ユニット２６に接続した構造としてもよい。
【００２６】
上記エア導入部２３は、内外気切換用のダンパ３４を有し、このダンパ３４が、実線で示す外気導入位置と、仮想線で示す内気導入位置とに変位可能に支持されている。また、上記ブロアユニット２４は、エア導入部２３の底部に臨むように設置されたブロア本体３５と、このブロア本体３５のファンを回転駆動するブロアモータ３６とを備えている。そして、上記ブロア本体３５のファンをブロアモータ３６により回転駆動してエア導入部２３内のエアを吸引し、上記熱交換ユニット２５の設置部に送風するように構成されている。
【００２７】
上記熱交換ユニット２５は、ブロアユニット２４により送風されたエアと冷媒との間で熱交換することにより、エアの熱を奪って温度を低下させるクーラのエバポレータ３７と、このエバポレータ３７の設置部を通過したエアを、エンジンの冷却水等が有する熱によって加熱するヒータコア３８と、このヒータコア３８の設置部に供給されるエア量を調節するエアミックスダンパ３９とを有している。また、上記熱交換ユニット２５が、図３に示すように、平面視でブロアユニット２４の後方側に配設されることにより、これらのブロアユニット２４と熱交換ユニット２５とが車両の前後方向に並べて設置されている。
【００２８】
上記熱交換ユニット２５は、エアミックスダンパ３９を揺動変位させてヒータコア３８の設置部に供給されるエア量を変化させることにより、上記エア分配ユニット２６に供給されるエアの温度を調整するように構成されている。具体的には、図外の駆動手段を介して上記エアミックスダンパ３９を揺動変位させることにより、ヒータコア３８に対するエアの供給を完全に遮断した状態とすれば、エア温度が最も低い冷房状態となり、逆に、上記ヒータコア３８に供給されるエア量を最大値とすれば、エア温度が最も高い暖房状態となり、図３の実線で示す中間位置では、温風と冷風とがミックスされた中間温度状態が得られるようになっている。
【００２９】
上記エア分配ユニット２６は、ブロアユニット２４および熱交換ユニット２５の設置部よりも車幅方向の内方側（中央部側）に配設されるとともに、上下方向に縦長状態で延びるように設置されたエア分配ボックス４０を有し、このエア分配ボックス４０の車幅方向外側に位置する外側壁面に上記熱交換ユニット２５が接続されている。また、上記エア分配ボックス４０の車幅方向内側に位置する内側壁面には、上記第１〜第３空調用ダクト３１〜３３の基端部が上下に配列された状態で接続されている。そして、上記各空調用ダクト３１〜３３の接続部には、開閉ダンパ４２〜４４が設置され、これらの開閉ダンパ４２〜４４の揺動変位に応じて上記各空調用ダクト３１〜３３のエア供給口が開閉されることにより、各空調用ダクト３１〜３３に分配されるエアの供給量が調節されるようになっている。
【００３０】
上記第２空調用ダクト３２からなる運転席側空調用ダクトは、エア分配ボックス４０の内側壁面から運転席側（左側）に向けて水平に延びる第１エア供給部４５と、その側端部から上方に延びる第２エア供給部４６と、その上端部から運転席側（左側）に延びるエア案内部４７とを有し、このエア案内部４７の左右両端部にそれぞれ運転席用のエア吹出部２７が設けられている。
【００３１】
また、上記第３空調用ダクト３３からなる助手席側空調用ダクトは、エア分配ボックス４０の内側壁面から運転席側（左側）に向けて略水平に延びる第１エア供給部４８と、その先端部から上方側に向けて第２エア供給部４９と、その上端部から助手席側（右側）に延びるエア案内部５０とを有し、このエア案内部５０の左右両端部にそれぞれ助手席用のエア吹出部２８が設けられている。
【００３２】
上記第２空調用ダクト３２の第１エア供給部４５および第２エア供給４６の全長と、第３空調用ダクト３３の第１エア供給部４８および第２エア供給部４９の全長とが略等しい長さに形成されるとともに、上記第２空調用ダクト３２のエア案内部４７と、第３空調用ダクト３３のエア案内部５０とが略等しい長さに形成されることにより、両空調用ダクト３２，３３の管長、つまり第２空調用ダクト３２の中心線長さＡと、第３空調用ダクト３３の中心線長さＢとが略等しく設定されている。
【００３３】
上記のようにエンジンルーム１と車室２とがダッシュパネル３により車両の前後方向に区画されるとともに、車輪１５を駆動するパワートレインユニット１１を備えた車両において、上記ダッシュパネル３に、パワートレインユニット１１の一部が配設されるように車体の後方側に向けて凹設された中央凹部５と、その左右両端部から車幅方向の外方側に延びる左右一対のダッシュ側部２０，２１とを形成するとともに、両ダッシュ側部２０，２１の何れか一方の後方側部位に、エア分配ユニット２６を備えた空調ユニット２２を配設し、かつ上記エア分配ユニット２６に基端部が接続されて運転席用のエア吹出部２７にエアを案内する第２空調用ダクト３２からなる運転席側空調用ダクトと、助手席用のエア吹出部２８にエアを案内する第３空調用ダクト３３からなる助手席側空調用ダクトとの管長Ａ，Ｂを略等しく設定したため、車室内スペースが狭められる等の問題を生じることなく、ダッシュパネル３の後方側に空調ユニット２２を適正に配設できるとともに、パワートレインユニット１１を車体の後方側に位置させて操縦安定性および走行安定性を向上できるという利点がある。
【００３４】
すなわち、上記パワートレインユニット１１を構成するエンジン本体１２の後部およびトランスミッション１３の前部等を上記ダッシュパネル３の中央凹部５内に配設することにより、エンジンルーム１内に配設された重量物である上記エンジン本体１２およびトランスミッション１３を有するパワートレインユニット１１を、可及的に車両の後方側に位置させることができるため、車両の重心を車体の中心部に近付けることにより、車両の走行時に作用するヨー慣性モーメントを効果的に低減して操縦安定性および走行安定性を向上させることができる。
【００３５】
そして、上記のように両ダッシュ側部２０，２１の何れか一方の後方側部位に、エア分配ユニット２６を備えた空調ユニット２２を配設し、かつ上記エア分配ユニット２６に基端部が接続されて運転席用のエア吹出部２７にエアを案内する第２空調用ダクト３２からなる運転席側空調用ダクトと、助手席用のエア吹出部２８にエアを案内する第３空調用ダクト３３からなる助手席側空調用ダクトとの管長Ａ，Ｂを略等しく設定したため、上記ダッシュパネル３に沿って車幅方向に延びるように空調ユニット２２を設置した場合のように、上記中央凹部５の後方側に配設されたエア分配ユニット２６等が車室内側に大きく突出するという事態が生じるのを防止することにより、車室２内のスペースが狭められることを抑制しつつ、上記ダッシュ側部２１の後方空間部を有効に利用して空調ユニット２２を効率よく配設できるとともに、上記運転席側空調用ダクトおよび助手席側空調用ダクトを通過するエアの通気抵抗を均一化して運転席７および助手席８に対するエアの配風性能を効果的に向上できるという利点がある。
【００３６】
また、上記のように両ダッシュ側部２０，２１の何れか一方、例えば助手席８の前方に位置するダッシュ側部２１の後方側部位に空調ユニット２２のブロアユニット２４と熱交換ユニット２５とを配設し、かつその車幅方向内方側に上記エア分配ユニット２６を配設するとともに、このエア分配ユニット２６の車幅方向内方側壁面に上記第２空調用ダクト３２からなる運転席側空調用ダクトの基端部と、第３空調用ダクト３３からなる助手席側空調用ダクトの基端部とを接続した構造とした場合には、これらの各ユニット２４〜２６をコンパクト化して限られたスペース内に配設できるとともに、上記熱交換ユニット２５において熱交換されたエアを車幅方向の中央部側に案内した後、上記エア分配ユニット２６から第２空調用ダクト３２および第３空調用ダクト３３を介して車室内の全体に亘り効率よくエアを供給できるという利点がある。
【００３７】
さらに、上記実施形態では、エア分配ユニット２６の上下方向中央部に第２空調用ダクト（運転席側空調用ダクト）３２を接続するとともに、その下方に上記第３空調用ダクト（助手席側調用ユニット）３３を接続するように構成したため、簡単な構成で上記第２空調用ダクト３２管長Ａと第３空調用ダクト３３の管長Ｂとを略等しく設定し、上記運転席７および助手席８に対するエアの配風性能を効果的に向上させることができる。
【００３８】
すなわち、助手席側に配設された上記エア分配ユニット２６の設置部から離れた位置にある運転席７にエアを供給する上記第２空調用ダクト３２の車幅方向に延びる第１エア供給部４５は、上記エア分配ユニット２６の設置部に近接した位置にある助手席８にエアを供給する上記第３空調用ダクト３３の第１エア供給部４８よりも長くなる傾向にあるため、これに対応して上記第２空調用ダクト３２の上下方向に延びる第２エア供給部４６が、第３空調用ダクト３３の第２エア供給部４９よりも短くなるように、上記エア分配ユニット２６に対する第２空調用ダクト３２の接続位置を第３空調用ダクト３３の接続位置よりも上方に設定している。これにより、簡単な構成で上記第２空調用ダクト３２の第１，第２エア供給部４５，４６の全長と、上記第３空調用ダクト３３の第１，第２エア供給部４８，４９の全長とを略等しくして、上記第２空調用ダクト３２と第３空調用ダクト３３との間に管長差が生じるのを防止できるという利点がある。
【００３９】
上記第１実施形態に示すようにエア分配ユニット２６が上下方向に縦長状態で延びるように設置された車両において、上記エア分配ユニット２６に接続された上記運転席側空調用ダクト（第２空調用ダクト３２）の上方に、フロントウインド２９に向けて開口するディフロスタ用のエア吹出部３０にエアを案内する第１空調用ダクト３１からなるディフロスタ側空調用ダクトを接続した構造とした場合には、上記ダッシュ側部２１の後方側部位において縦長状態で設置された上記エア分配ユニット２６のエア分配ボックス４０に各空調用ダクト３１〜３３を適正状態でコンパクトに配列することができる。
【００４０】
また、上記第１実施形態に示すように、中央凹部５の左右両端部から車幅方向の外方側に延びるように形成された両ダッシュ側部２０，２１の何れか一方の後方空間部内に上記空調ユニット２２のブロアユニット２４と熱交換ユニット２５とを車両の前後方向に並べて設置した場合には、車幅方向における空調ユニット２２の設置スペースを効果的にコンパクト化することができるため、上記ダッシュ側部２１等の後方空間部を、より効果的に利用して空調ユニット２２を効率よく配設できるとともに、空調ユニット２２を適正に作動させることができる等の利点がある。
【００４１】
さらに、上記第１実施形態に示すように、一方のダッシュ側部２１の後方に空調ユニット２２のブロアユニット２４を配設するとともに、その後方側に熱交換ユニット２５を配設した場合には、車体の前方部から車室内に導入されるエアの流れに沿って上記ブロアユニット２４から熱交換ユニット２５にエアをスムーズに流通させることができるとともに、上記熱交換ユニット２５における熱交換を効率よく行うことができ、かつブロアユニット２４、熱交換ユニット２５およびエア分配ユニット２６をコンパクト化した状態で、ダッシュ側部２１等の後方側部位に形成された空間部に適正に配設できるという利点がある。
【００４２】
また、上記のようにダッシュパネル３に形成された中央凹部５の左右両端部から車幅方向の外方側に延びるように構成された両ダッシュ側部２０，２１の一方を他方よりも車両の前方側にオフセットして配設し、これに応じてスペース的に余裕が生じた一方のダッシュ側部２１の後方空間部内に上記空調ユニット２２のエア分配ユニット２６を縦置き状態で配設した場合には、上記後方空間部を有効に利用することができるため、車室２内のスペースが狭められることを、さらに効果的に抑制できるという利点がある。
【００４３】
特に、上記第１実施形態では、車室内の前方部には運転席７と助手席８とが並設された車両において、助手席８の前方に位置するダッシュ側部２１を運転席７の前方に位置するダッシュ側部２０よりも車両の前方側にオフセットさせるとともに、このダッシュ側部２１の後方側に空調ユニット２２を配設したため、運転席７の前方に位置するダッシュ側部２０を車両の前方側にオフセットさせてその後方側に空調ユニット２２を配設した場合のように、上記運転席側に設置されるステアリングシャフト、ブレーキペダルやアクセルペダル等に干渉するという事態を生じることなく、上記空調ユニット２２を容易かつ適正にレイアウトできるという利点がある。
【００４４】
また、上記第１実施形態では、エンジンルーム内において縦置き式に配設される重量物であるエンジン本体１２およびトランスミッション１３を、上記中央凹部５内に配設して可及的に車両の後方側に位置させるように構成したため、車両の重心を車体の中心部側に位置させることにより、車両の走行時に作用するヨー慣性モーメントを効果的に低減して操縦安定性を向上させることができる。
【００４５】
なお、ロータリエンジンからなるエンジン本体１２をエンジンルーム１内に配設した上記実施形態に代え、レシプロエンジンを備えた車両においても本発明を適用可能である。しかし、上記ロータリエンジンは、レシプロエンジンに比べて小型に形成することができるため、このロータリエンジンからなるエンジン本体１２の配設部となる上記中央凹部５の幅寸法等が極端に大きくなるのを防止しつつ、その側方部に形成された空間部を有効に利用して上記空調ユニット２２を適正に配設できるという利点がある。
【００４６】
図８は、車両の前方側にオフセットさせた一方のダッシュ側部２１等の後方に、エバポレータ３７とヒータコア３８とを有する熱交換ユニット２５を配設するとともに、その後方側にブロアユニット２４を配設した本発明の第２実施形態を示している。この第２実施形態の構成によれば、上記熱交換ユニット２５を車室２内の座席位置から離れた位置に配設することにより、上記熱交換ユニット２５において発生する熱の影響が上記助手席８等に着座した乗員に及ぶのを効果的に防止できるという利点がある。
【図面の簡単な説明】
【００４７】
【図１】本発明に係る車両空調ユニットの配設構造の第１実施形態を示す平面断面図である。
【図２】上記前部車体構造の第１実施形態を示す側面断面図である。
【図３】空調ユニットの具体的構成を示す平面断面図である。
【図４】ブロアユニットの具体的構成を示す側面断面図である。
【図５】空調ユニットの具体的構成を示す平面図である。
【図６】空調ユニットの具体的構成を示す背面断面図である。
【図７】空調ユニットの具体的構成を示す側面図である。
【図８】上記前部車体構造の第２実施形態を示す図３相当図である。
【符号の説明】
【００４８】
１  車室
２  エンジンルーム
３  ダッシュパネル
５  中央凹部
７  運転席
８  助手席
１１  パワートレインユニット
１２  エンジン本体
１３  トランスミッション
２０，２１  ダッシュ側部
２２  空調ユニット
２４  ブロアユニット
２５  熱交換ユニット
２６  エア分配ユニット
２７  運転席用のエア吹出部
２８  助手席用のエア吹出部
２９  フロントウインド
３０  ディフロスタ用のエア吹出部
３１  第１空調用ダクト（ディフロスタ側空調用ダクト）
３２  第２空調用ダクト（運転席側空調用ダクト）
３３  第３空調用ダクト（助手側空調用ダクト）
【図１】
2009292280.tif 000003
【図２】
2009292280.tif 000004
【図３】
2009292280.tif 000005
【図４】
2009292280.tif 000006
【図５】
2009292280.tif 000007
【図６】
2009292280.tif 000008
【図７】
2009292280.tif 000009
【図８】
2009292280.tif 000010